(57)【特許請求の範囲】
【請求項１】
複数の内歯を有するアウタロータと、前記アウタロータ内に収容され且つ前記複数の内歯に噛み合う複数の外歯を有するインナロータと、を備え、前記アウタロータ及び前記インナロータが所定の回転方向に回転することで、前記内歯と前記外歯との間に形成される複数の液室の容積が増減されて液体が圧送されるトロコイド型ポンプであって、
前記アウタロータ及び前記インナロータのうちの一方のロータの各歯には、前記複数の液室のうちで、前記所定の回転方向に隣接して容積が共に増加する前後の液室を連通させ、前記所定の回転方向に隣接して容積が共に減少する前後の液室を連通させない連通路が形成されており、
前記連通路は、前記複数の液室のうちで、前記所定の回転方向に隣接する前後の液室における前方の液室の容積が最大値となってから所定の比率の容積に減少するまでの間において前記前後の液室を連通させることを特徴とするトロコイド型ポンプ。
【請求項２】
前記一方のロータは、複数の板を積層してなり、
前記複数の板は、一対の外板と、該一対の外板の間に順に積層される第１中間板、第２中間板及び第３中間板と、を備え、
前記一対の外板、前記第１中間板、前記第２中間板及び前記第３中間板のそれぞれは、前記一方のロータの各歯を形成する複数の歯部を有し、
前記第１中間板の各歯部には、その歯先側から切り欠かれた歯先側切欠部が形成されており、
前記第３中間板の各歯部には、その歯先側と歯底側との間の中間側又は歯底側から切り欠かれた切欠部が形成されており、
前記第２中間板の各歯部には、前記歯先側切欠部と前記切欠部とを連絡する貫通孔が形成されており、
前記連通路は、前記歯先側切欠部、前記切欠部及び前記貫通孔により構成されている請求項１記載のトロコイド型ポンプ。
【請求項３】
前記連通路は、その一端が前記一方のロータの各歯の歯先側に開口し、その他端が前記一方のロータの各歯の歯先側と歯底側との間の中間側又は歯底側に開口している請求項１又は２に記載のトロコイド型ポンプ。
【請求項４】
前記一方のロータは、前記インナロータである請求項１乃至３のいずれか一項に記載のトロコイド型ポンプ。
【発明の詳細な説明】
【技術分野】
【０００１】
本発明は、トロコイド型ポンプに関し、さらに詳しくは、アウタロータ及びインナロータの回転により内歯と外歯との間に形成される複数の液室の容積が増減されて液体が圧送されるトロコイド型ポンプに関する。
【背景技術】
【０００２】
従来のトロコイド型ポンプとして、複数の内歯を有するアウタロータと、アウタロータ内に収容され且つ複数の内歯に噛み合う複数の外歯を有するインナロータと、を備え、各ロータが所定の回転方向に回転することで、内歯と外歯との間に形成される複数の液室の容積が増減されて液体が圧送されるものが一般に知られている（例えば、特許文献１及び２参照）。
【先行技術文献】
【特許文献】
【０００３】
【特許文献１】特開平０５−３０２５７６号公報
【特許文献１】特開２０１２−０４７１４９号公報
【発明の概要】
【発明が解決しようとする課題】
【０００４】
ところで、従来のトロコイド型ポンプでは、キャビテーションの発生によるロータ表面の腐食（エロージョン）が懸念される。すなわち、ポンプ駆動時に各ロータの回転に伴う吸入工程において、前後の液室の間で圧力差が生じ、比較的大きな負圧が生じた部位の液体中に微細な気泡が発生する。この気泡は、負圧がなくなると消滅するが、その際に液体が気泡を超高速で貫いてロータ表面に衝突する。これを繰り返すことによりロータ表面に腐食が発生してしまう。そこで、上記問題を解決するために、切削加工により形成されたロータの各歯に対して歯面を硬化させる後処理を実施している。しかし、この実施技術では、切削加工後に歯面の調質を行ったり、複雑な加工を行ったりすることにより加工時間が増加して製造コストが高くなる。
【０００５】
なお、上記特許文献１には、インナロータの各外歯に前後の液室を連通する連通路を形成し、連通路内にロータの回転速度に応じて連通路を開閉する弁体を設け、キャビテーションの発生を抑制する技術が提案されている。また、上記特許文献２には、インナロータの各外歯の歯先側に前後の液室を連通可能な弾性変形部を設け、キャビテーションの発生を抑制する技術が提案されている。しかし、これら提案技術では、ロータの各歯の構造が複雑となり、やはり製造コストが高くなる。
【０００６】
本発明は、上記現状に鑑みてなされたものであり、所定の吐出性能を発揮しつつキャビテーションの発生を抑制できる簡易且つ安価な構造のトロコイド型ポンプを提供することを目的とする。
【課題を解決するための手段】
【０００７】
上記問題を解決するために、請求項１に記載の発明は、複数の内歯を有するアウタロータと、前記アウタロータ内に収容され且つ前記複数の内歯に噛み合う複数の外歯を有するインナロータと、を備え、前記アウタロータ及び前記インナロータが所定の回転方向に回転することで、前記内歯と前記外歯との間に形成される複数の液室の容積が増減されて液体が圧送されるトロコイド型ポンプであって、前記アウタロータ及び前記インナロータのうちの一方のロータの各歯には、前記複数の液室のうちで、前記所定の回転方向に隣接して容積が共に増加する前後の液室を連通させ、前記所定の回転方向に隣接して容積が共に減少する前後の液室を連通させない連通路が形成されており、前記連通路は、前記複数の液室のうちで、前記所定の回転方向に隣接する前後の液室における前方の液室の容積が最大値となってから所定の比率の容積に減少するまでの間において前記前後の液室を連通させることを要旨とする。
請求項２に記載の発明は、請求項１に記載の発明において、前記一方のロータは、複数の板を積層してなり、前記複数の板は、一対の外板と、該一対の外板の間に順に積層される第１中間板、第２中間板及び第３中間板と、を備え、前記一対の外板、前記第１中間板、前記第２中間板及び前記第３中間板のそれぞれは、前記一方のロータの各歯を形成する複数の歯部を有し、前記第１中間板の各歯部には、その歯先側から切り欠かれた歯先側切欠部が形成されており、前記第３中間板の各歯部には、その歯先側と歯底側との間の中間側又は歯底側から切り欠かれた切欠部が形成されており、前記第２中間板の各歯部には、前記歯先側切欠部と前記切欠部とを連絡する貫通孔が形成されており、前記連通路は、前記歯先側切欠部、前記切欠部及び前記貫通孔により構成されていることを要旨とする。
請求項３に記載の発明は、請求項１又は２に記載の発明において、前記連通路は、その一端が前記一方のロータの各歯の歯先側に開口し、その他端が前記一方のロータの各歯の歯先側と歯底側との間の中間側又は歯底側に開口していることを要旨とする。
請求項４に記載の発明は、請求項１乃至３のいずれか一項に記載の発明において、前記一方のロータは、前記インナロータであることを要旨とする。
【発明の効果】
【０００８】
本発明のトロコイド型ポンプによると、アウタロータ及びインナロータのうちの一方のロータの各歯には、複数の液室のうちで、所定の回転方向に隣接して容積が共に増加する前後の液室を連通させ、所定の回転方向に隣接して容積が共に減少する前後の液室を連通させない連通路が形成されている。これにより、吸入工程では、連通路により前後の液室が連通されるため、前後の液室での圧力差が小さく又は零になりキャビテーションの発生が抑制される。その結果、ロータ表面の腐食が防止される。一方、吐出工程では、連通路により前後の液室が連通されないため、ポンプは所定の吐出性能を発揮する。したがって、所定の吐出性能を発揮しつつキャビテーションの発生を抑制できる簡易且つ安価な構造のトロコイド型ポンプを提供できる。
また、前記連通路が、前記複数の液室のうちで、所定の回転方向に隣接する前後の液室における前方の液室の容積が最大値となってから所定の比率の容積に減少するまでの間において前記前後の液室を連通させるので、吸入工程から吐出工程に移行する際に短期間だけ連通路により前後の液室が連通される。そのため、負圧から正圧への移行時に発生し易いポンプの脈動が抑制される。
また、前記一方のロータが、複数の板を積層してなり、該複数の板のそれぞれが、前記一方のロータの各歯を形成する複数の歯部を有し、前記連通路が、前記複数の板のうちの少なくとも１つの板に形成されている場合は、切削加工等により得られた一体物であるロータでは形成し難い連通路を容易に形成することができる。
また、前記連通路が、その一端が前記一方のロータの各歯の歯先側に開口し、その他端が前記一方のロータの各歯の中間側又は歯底側に開口している場合は、吸入工程では、前後の液室のうちの一方の液室内に連通路の一端の歯先側開口が位置するとともに、他方の液室内に連通路の他端の中間側又は歯底側開口が位置する。また、吐出工程では、前後の液室のうちの一方の液室内に連通路の一端の歯先側開口とともに他端の中間側又は歯底側開口が位置する。そのため、吸入工程で前後の液室が安定的に連通される一方、吐出工程で前後の液室が確実に非連通とされる。
さらに、前記一方のロータが、前記インナロータである場合は、アウタロータに連通路を設けるものに比べて、ポンプ全体を径方向に小型化できる。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るトロコイド型ポンプを模式的に示す正面図である。
【図２】図１のＩＩ−ＩＩ線断面拡大図である。
【図３】実施例に係るインナロータの斜視図である。
【図４】上記インナロータの要部の分解斜視図である。
【図５】上記インナロータを構成する複数の板の平面図である。
【図６】参考形態に係るトロコイド型ポンプの説明図である。
【図７】更に他の形態に係るトロコイド型ポンプの説明図である。
【図８】更に他の形態に係るトロコイド型ポンプの説明図であり、（ａ）は２つの切欠部からなる連通路を示し、（ｂ）は１つの切欠部からなる連通路を示し、（ｃ）は一体物として形成されたインナロータを示す。
【図９】更に他の形態に係るトロコイド型ポンプの説明図であり、（ａ）はポンプの正面図を示し、（ｂ）は（ａ）のｂ−ｂ線断面拡大図を示す。
【発明を実施するための形態】
【００１０】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
＜トロコイド型ポンプ＞
本実施形態に係るトロコイド型ポンプは、複数の内歯（２ａ）を有するアウタロータ（２、２’）と、アウタロータ内に収容され且つ複数の内歯に噛み合う複数の外歯（３ａ）を有するインナロータ（３、３’）と、を備え、アウタロータ及びインナロータが所定の回転方向（Ｐ）に回転することで、内歯（２ａ）と外歯（３ａ）との間に形成される複数の液室（Ｓ１〜Ｓ８）の容積が増減されて液体が圧送されるトロコイド型ポンプ（１）である（例えば、図１及び図６〜図９等参照）。そして、上記アウタロータ（２、２’）及びインナロータ（３、３’）のうちの一方のロータの各歯には、複数の液室（Ｓ１〜Ｓ８）のうちで、所定の回転方向（Ｐ）に隣接して容積が共に増加する前後の液室を連通させ、所定の回転方向（Ｐ）に隣接して容積が共に減少する前後の液室を連通させない連通路（１５、１５’、２１、２５、２８、３２）が形成されている。
【００１２】
本実施形態に係るトロコイド型ポンプとしては、例えば、上記一方のロータは、複数の板（５〜９、３５〜３９）を積層してなり、複数の板のそれぞれは、一方のロータの各歯を形成する複数の歯部（５ａ〜９ａ、３５ａ〜３９ａ）を有し、上記連通路（１５、１５’、２１、２５、３２）は、複数の板のうちの少なくとも１つの板に形成されている形態（例えば、図３及び図９等参照）を挙げることができる。
【００１３】
本実施形態に係るトロコイド型ポンプとしては、例えば、上記連通路（１５、１５’、２１、２８、３２）は、その一端が一方のロータの各歯の歯先側（１７）に開口し、その他端が一方のロータの各歯の歯先側（１７）と歯底側（１８）との間の中間側（１９）又は歯底側（１８）に開口している形態（例えば、図３及び図９等参照）を挙げることができる。なお、上記連通路は、通常、一方のロータがインナロータ（３、３’）である場合、その他端が各歯の歯先側（１７）と歯底側（１８）との間の中間側（１９）に開口し（例えば、図３等参照）、一方のロータがアウタロータ（２’）である場合、その他端が各歯の歯底側（１８）に開口する（例えば、図９等参照）。
【００１４】
本実施形態に係るトロコイド型ポンプとしては、例えば、上記連通路（１５、２１、２５、２８、３２）は、複数の液室（Ｓ１〜Ｓ８）のうちで、所定の回転方向（Ｐ）に隣接する前後の液室（Ｓ１、Ｓ８）における前方の液室（Ｓ１）の容積が最大値から所定値まで減少する間において前後の液室（Ｓ１、Ｓ８）を連通させる形態（例えば、図１等参照）を挙げることができる。なお、上記所定値としては、例えば、最大値の９０％以上で１００％未満の値（特に、９５％以上で１００％未満の値）を挙げることができる。
【００１５】
本実施形態に係るトロコイド型ポンプとしては、例えば、上記一方のロータは、インナロータ（３、３’）である形態（例えば、図１等参照）を挙げることができる。
【００１６】
本実施形態に係るトロコイド型ポンプとしては、例えば、上記一方のロータは、一対の外板（５、６、３５、３６）の間に第１〜第３中間板（７、８、９、３７、３８、３９）を順に積層してなり、第１中間板（７、３７）の各歯部には、歯先側（１７）から切り欠かれた歯先側切欠部（１１、４１）が形成され、第３中間板（９、３９）の各歯部には、歯先側（１７）と歯底側（１８）との間の中間側（１９）又は歯底側（１８）から切り欠かれた切欠部（１２、４２）が形成され、第２中間板（８、３８）の各歯部には、歯先側切欠部（１１、４１）と切欠部（１２、４２）とを連絡する貫通孔（１３、４３）が形成され、上記連通路（１５、１５’、３２）は、歯先側切欠部（１１、４１）、切欠部（１２、４２）及び貫通孔（１３、４３）により構成されている形態（例えば、図２及び図９等参照）を挙げることができる。これにより、一方のロータの径方向にコンパクトな連通路を容易に形成できる。
【００１７】
なお、上記実施形態で記載した各構成の括弧内の符号は、後述する実施例に記載の具体的構成との対応関係を示すものである。
【実施例】
【００１８】
以下、図面を用いて実施例により本発明を具体的に説明する。なお、本実施例では、エンジンの潤滑対象部にオイルを圧送するためのトロコイド型ポンプを例示する。
【００１９】
（１）トロコイド型ポンプの構成
本実施例に係るトロコイド型ポンプ１は、図１に示すように、複数（図中８個）の内歯２ａを有するアウタロータ２と、アウタロータ２内に収容され且つ複数の内歯２ａに噛み合う複数（図中７個）の外歯３ａを有するインナロータ３（本発明に係る「一方のロータ」として例示する。）と、を備えている。これら各内歯２ａと各外歯３ａとの噛み合いにより、アウタロータ２の内周面とインナロータ３の外周面との間には、複数（図中８個）の液室Ｓ１〜Ｓ８が円周方向に沿って形成されている。
【００２０】
上記各内歯２ａ及び各外歯３ａは、トロコイド曲線により形成されている。また、内歯２ａの数は、外歯３ａの数よりも１つ多い数とされている。また、インナロータ３は、アウタロータ２の環の内側に偏心して配置されている。さらに、アウタロータ２及びインナロータ３は、図示しないケーシング内に所定の回転方向Ｐに回転可能に設けられている。そして、図１に示す状態より各ロータ２、３が所定の回転方向Ｐに回転したときに、液室Ｓ５〜Ｓ８は、容積が増加する吸入工程となり、液室Ｓ１〜Ｓ４は、容積が減少する吐出工程となる。なお、図１において、液室Ｓ１の容積が最大値であり、液室Ｓ５の容積が最小値である。また、符号１０ａは吸入ポートを示し、符号１０ｂは吐出ポートを示す。
【００２１】
上記インナロータ３は、図２及び図３に示すように、金属製の複数（図中５枚）の板５〜９を軸方向に積層してなされている。具体的に、インナロータ３は、一対の外板５、６の間に第１〜第３中間板７、８、９を順に積層してなされている。これら各板５〜９は、図示しないカシメ固定等により一体化されている。なお、本実施例では、切削加工等により得られる一体物であるアウタロータ２を例示するが、これに限定されず、例えば、インナロータ３と略同様にして、複数の板を積層してなるアウタロータを採用してもよい。
【００２２】
上記各板５〜９は、図４及び図５に示すように、インナロータ３の各外歯３ａを形成する複数（図中７個）の歯部５ａ〜９ａを有している。これら各板５〜９は、金属薄板にプレス加工を施すことで打抜き形成されたプレス品である。また、第１中間板７の各歯部７ａには、歯先側１７から切り欠かれたスリット状の歯先側切欠部１１が形成されている。また、第３中間板９の各歯部９ａには、歯先側１７と歯底側１８との間の中間側１９から切り欠かれたスリット状の中間側切欠部１２が形成されている。さらに、第２中間板８の各歯部８ａには、歯先側切欠部１１と中間側切欠部１２とを連絡する長孔状の貫通孔１３が形成されている。これら切欠部１１、１２や貫通孔１３は、上述のプレス加工時に形成される。
【００２３】
上記インナロータ３の各外歯３ａには、図１及び図２に示すように、歯先側切欠部１１、中間側切欠部１２及び貫通孔１３により構成される平面略Ｕ字状の連通路１５が形成されている。この連通路１５は、その一端がインナロータ３の各外歯３ａの歯先側１７に開口し、その他端がインナロータ３の各外歯３ａの歯先側１７と歯底側１８との間の中間側１９（具体的に、各外歯３ａの所定の回転方向Ｐの前方となる中間側１９）に開口している。そして、連通路１５は、全体として屈曲（又は湾曲）した孔状に形成されている。
【００２４】
上記連通路１５は、図１に示すように、全ての液室Ｓ１〜Ｓ８のうちで、所定の回転方向Ｐに隣接して容積が共に増加する前後の液室Ｓ５−Ｓ６、Ｓ６−Ｓ７、Ｓ７−Ｓ８（すなわち、吸入工程にある前後の液室Ｓ５〜Ｓ８）を連通させる。また、連通路１５は、所定の回転方向Ｐに隣接して容積が共に減少する前後の液室Ｓ１−Ｓ２、Ｓ２−Ｓ３、Ｓ３−Ｓ４（すなわち、吐出工程にある前後の液室Ｓ１〜Ｓ４）を連通させない。さらに、連通路１５は、所定の回転方向Ｐに隣接する前後の液室Ｓ１、Ｓ８における前方の液室Ｓ１の容積が最大値から所定値（例えば、最大値の９５％の値等）まで減少する所定期間において前後の液室Ｓ１、Ｓ８を連通させ、所定期間が経過した後に前後の液室Ｓ１、Ｓ８を非連通とする。
【００２５】
（２）トロコイド型ポンプの作用
次に、上記構成のトロコイド型ポンプ１の作用について説明する。図１に示すように、アウタロータ２及びインナロータ３が所定の回転方向Ｐに回転することで、複数の液室Ｓ１〜Ｓ８の容積が増減されて、吸入ポート１０ａから吸入されたオイルが吐出ポート１０ｂから吐出される。このポンプ駆動時には、連通路１５により、吸入工程の前後の液室Ｓ５〜Ｓ８が連通されて圧力差が小さく又は零にされる一方、吐出工程の前後の液室Ｓ１〜Ｓ４が非連通とされて圧力差が維持される。さらに、連通路１５により、前後の液室Ｓ１、Ｓ８における前方の液室Ｓ１の容積が最大値から所定値まで減少する所定期間において前後の液室Ｓ１、Ｓ８が連通される。
【００２６】
（３）実施例の効果
本実施例のトロコイド型ポンプ１によると、インナロータ３の各外歯３ａには、複数の液室Ｓ１〜Ｓ８のうちで、所定の回転方向Ｐに隣接して容積が共に増加する前後の液室Ｓ５〜Ｓ８を連通させ、所定の回転方向Ｐに隣接して容積が共に減少する前後の液室Ｓ１〜Ｓ４を連通させない連通路が形成されている。これにより、吸入工程では、連通路１５により前後の液室Ｓ５〜Ｓ８が連通されるため、前後の液室Ｓ５〜Ｓ８での圧力差が小さく又は零になりキャビテーションの発生が抑制される。その結果、ロータ表面の腐食が防止される。一方、吐出工程では、連通路１５により前後の液室Ｓ１〜Ｓ４が連通されないため、ポンプ１は所定の吐出性能を発揮する。したがって、所定の吐出性能を発揮しつつキャビテーションの発生を抑制できる簡易且つ安価な構造のトロコイド型ポンプ１を提供できる。
【００２７】
また、本実施例では、インナロータ３は、複数の板５〜９を積層してなり、複数の板５〜９のそれぞれは、インナロータ３の各外歯３ａを形成する複数の歯部５ａ〜９ａを有し、連通路１５は、複数の板５〜９のうちの少なくとも１つの板７、８、９に形成されている。これにより、切削加工等により得られた一体物であるロータでは形成し難い連通路１５を容易に形成することができる。
【００２８】
また、本実施例では、連通路１５は、その一端がインナロータ３の各外歯３ａの歯先側１７に開口し、その他端がインナロータ３の各外歯３ａの中間側１９に開口している。これにより、吸入工程では、前後の液室Ｓ５〜Ｓ８のうちの後方の液室内に連通路１５の一端の歯先側開口が位置するとともに、前方の液室内に連通路１５の他端の中間側開口が位置する。また、吐出工程では、前後の液室のうちの一方の液室内に連通路１５の一端の歯先側開口とともに他端の中間側開口が位置する。そのため、吸入工程で前後の液室が安定的に連通される一方、吐出工程で前後の液室が確実に非連通とされる。
【００２９】
また、本実施例では、連通路１５は、前後の液室Ｓ１、Ｓ８における前方の液室Ｓ１の容積が最大値から所定値まで減少する間において前後の液室Ｓ１、Ｓ８を連通させる。これにより、吸入工程から吐出工程に移行する際に短期間だけ連通路１５により前後の液室Ｓ１、Ｓ８が連通される。そのため、負圧から正圧への移行時に発生し易いポンプ１の脈動が抑制される。なお、従来のポンプの脈動対策として、インナロータとアウタロータとのチップクリアランスを不等配置して不快な周波数とならないようにするものが知られていているが、これは脈動自体を低減させるものではない。
【００３０】
さらに、本実施例では、インナロータ３は、一対の外板５、６の間に第１〜第３中間板７、８、９を順に積層してなる。そして、第１中間板７の各歯部７ａには、歯先側１７から切り欠かれた歯先側切欠部１１が形成され、第３中間板９の各歯部９ａには、歯先側１７と歯底側１８との間の中間側１９から切り欠かれた中間側切欠部１２が形成され、第２中間板８の各歯部８ａには、歯先側切欠部１１と中間側切欠部１２とを連絡する貫通孔１３が形成され、連通路１５は、歯先側切欠部１１、中間側切欠部１２及び貫通孔１３により構成されている。これにより、インナロータ３の径方向にコンパクトな連通路１５を容易に形成できる。
【００３１】
尚、本発明においては、上記実施例に限られず、目的、用途に応じて本発明の範囲内で種々変更した実施例とすることができる。すなわち、上記実施例では、前後の液室Ｓ１、Ｓ８における前方の液室Ｓ１の容積が最大値から所定値まで減少する間において前後の液室Ｓ１、Ｓ８を連通する連通路１５を例示した。参考形態として、例えば、図６に示すように、前後の液室Ｓ１、Ｓ８における前方の液室Ｓ１の容積が最大値となった以後に前後の液室Ｓ１、Ｓ８を非連通とする連通路１５’が挙げられる。
【００３２】
また、上記実施例では、外板５、６や中間板７、８、９として単数の板を例示したが、これに限定されず、例えば、図７に示すように、複数の外板５、６や複数の中間板７、８、９を採用してもよい。また、各板５〜９の材質は、特に限定されず、例えば、金属製、樹脂製、セラミック製等を採用できる。また、インナロータ３を構成する板の厚さや枚数等は、ロータ３の軸方向長さ寸法等に応じて適宜選択できる。さらに、インナロータ３の外歯３ａやアウタロータ２の内歯２ａの個数や大きさ等は、ポンプ性能等に応じて適宜選択できる。
【００３３】
また、上記実施例では、第１中間板７に形成された歯先側切欠部１１と、第３中間板９に形成された中間側切欠部１２と、第２中間板８に形成された貫通孔１３と、を備える連通路１５を例示したが、これに限定されず、例えば、図８（ａ）に示すように、第２中間板８を採用せずに、第１中間板７に形成された歯先側切欠部１１と、歯先側切欠部１１に連絡するように第３中間板９に形成された中間側切欠部１２と、からなる連通路２１としてもよい。さらに、例えば、図８（ｂ）に示すように、中間板に形成された切欠部２４からなる連通路２５としてもよい。
【００３４】
また、上記実施例では、複数の板５〜９を積層してなるインナロータ３を例示したが、これに限定されず、例えば、図８（ｃ）に示すように、切削加工や鋳造等により一体物として形成されたインナロータ３’を採用してもよい。この場合、例えば、孔開け加工等によりインナロータ３’の各外歯に連通路２８を形成できる。
【００３５】
さらに、上記実施例では、インナロータ３の各外歯３ａに連通路１５を設ける形態を例示したが、これに限定されず、例えば、図９に示すように、アウタロータ２’の各内歯に連通路３２を設けるようにしてもよい。この場合、例えば、アウタロータ２’は、複数の板３５〜３９を積層してなり、連通路３２は、その一端がアウタロータ２’の各内歯の歯先側１７に開口し、その他端がアウタロータ２’の各内歯の歯底側１８（具体的に、各歯の所定の回転方向Ｐの後方となる歯底側１８）に開口することができる。これにより、ポンプ駆動時には、連通路３２により、吸入工程の前後の液室Ｓ５〜Ｓ８が互いに連通されて圧力差が小さく又は零にされる一方、吐出工程の前後の液室Ｓ１〜Ｓ４が互いに非連通とされて圧力差が維持される。さらに、連通路３２により、前後の液室Ｓ１、Ｓ８における前方の液室Ｓ１の容積が最大値から所定値まで減少する間において前後の液室Ｓ１、Ｓ８が連通される。
【００３６】
さらに、上述の形態の場合、例えば、アウタロータ２’は、一対の外板３５、３６の間に第１〜第３中間板３７、３８、３９を順に積層してなり、第１中間板３７の各歯部３７ａには、歯先側１７から切り欠かれた歯先側切欠部４１が形成され、第３中間板３９の各歯部３９ａには、歯底側１８から切り欠かれた歯底側切欠部４２が形成され、第２中間板３８の各歯部３８ａには、歯先側切欠部４１と歯底側切欠部４２とを連絡する貫通孔４３が形成され、上記連通路３２は、歯先側切欠部４１、歯底側切欠部４２及び貫通孔４３により構成されることができる。
【００３７】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにける開示事項に限定することを意図するものではなく、むしろ、本発明は添付の特許請求の範囲内における、機能的に同等の構造、方法、使用の全てに及ぶものとする。
【００３８】
本発明は上記で詳述した実施形態に限定されず、本発明の請求項に示した範囲で様々な変形または変更が可能である。
【産業上の利用可能性】
【００３９】
本発明は、トロコイド型ポンプに関する技術として広く利用される。特に、乗用車、バス、トラック等の車両のエンジンの各潤滑対象部にオイルを供給するトロコイド型ポンプとして好適に利用される。
【符号の説明】
【００４０】
１；トロコイド型ポンプ、２，２’；アウタロータ、２ａ；内歯、３，３’；インナロータ、３ａ；外歯、５〜９、３５〜３９；複数の板、５ａ〜９ａ、３５ａ〜３９ａ；歯部、１５，１５ａ，２１，２５，２８，３２；連通路、１７；歯先側、１８；歯底側、１９；中間側、Ｐ；所定の回転方向、Ｓ１〜Ｓ８；液室。
【図１】
0006503855.tif 000002
【図２】
0006503855.tif 000003
【図３】
0006503855.tif 000004
【図４】
0006503855.tif 000005
【図５】
0006503855.tif 000006
【図６】
0006503855.tif 000007
【図７】
0006503855.tif 000008
【図８】
0006503855.tif 000009
【図９】
0006503855.tif 000010